(57)【要約】【課題】講義受講者の受講者情報、座席位置、着席状態を出力することができると共に、受講者本人が一定時間着席して講義を受講したことを証明することができる講義支援システムを提供する。【解決手段】講義支援サーバ１１０が、受講者用表示モニタ１０１と、生体認証装置１０２と、座席に取り付けられた温度センサー１０３と、座席に取り付けられた重量センサー１０４と、講師用表示モニタ１０５とに夫々ネットワーク１０６を介して接続された講義支援システムであって、前記講義支援サーバ１１０が、体温検知情報を取得し、講義情報の終了時刻になるまで体温検知時間を測定すると共に、体重検知情報を取得し、講義情報の終了時刻になるまで体重検知時間を測定し、講義受講情報に対して教室座席情報の座席ＩＤと前記検知時間を登録する着席情報登録手段等を備えている。【選択図】図１
2008234384.tif 000002
【特許請求の範囲】
【請求項１】
講義支援サーバが、受講者用表示モニタと、生体認証装置と、座席に取り付けられた温度センサーと、座席に取り付けられた重量センサーと、講師用表示モニタとに夫々ネットワークを介して接続された講義支援システムであって、
前記講義支援サーバが、
受講者情報を格納する受講者情報データベースと、
講義情報を格納する講義情報データベースと
講義と受講者の関連情報を格納する講義受講情報データベースと、
教室と座席及び前記生体認証装置、温度センサー、重量センサー、表示モニタを識別する情報を格納する教室座席情報データベースと、
前記生体認証装置からの生体認証情報及び生体認証装置ＩＤを入力とし、前記生体認証装置ＩＤをキーとして前記教室座席情報データベースを検索し、教室座席情報を取得すると共に、前記生体認証情報をキーとして前記受講者情報データベースを検索し、該当の受講者情報がある場合は、受講者情報を取得する受講者判定手段と、
前記教室座席情報及び受講者情報を入力とし、前記教室座席情報の教室ＩＤをキーとして前記講義情報データベースを検索し、開始時刻が現在時刻以前かつ終了時刻が現在時刻以後の講義情報を取得し、取得した講義情報の講義ＩＤと前記受講者情報の受講者ＩＤをキーとして前記講義受講情報データベースを検索し、該当の講義受講情報があるかどうかを判定する講義判定手段と、
講義受講情報ありの場合に、前記教室座席情報、受講者情報及び講義情報を入力とし、前記教室座席情報の温度センサーＩＤを持つ体温検知情報を取得し、前記講義情報の終了時刻になるまで体温検知時間を測定すると共に、前記教室座席情報の重量センサーＩＤを持つ体重検知情報を取得し、前記講義情報の終了時刻になるまで体重検知時間を測定し、前記講義情報の講義ＩＤと前記受講者情報の受講者ＩＤをキーとして前記講義受講情報データベースを検索し、検索された講義受講情報に対して教室座席情報の座席ＩＤと前記検知時間を登録する着席情報登録手段と、
前記講師用表示モニタから前記講義支援サーバへ表示モニタＩＤが送信されると、表示モニタＩＤをキーとして前記教室座席情報データベースに格納される講師用表示モニタ情報を検索し、前記講師用表示モニタ情報の教室ＩＤをキーとして前記講義情報データベースを検索し、前記講義情報データベースから「開始時刻が現在時刻以前かつ終了時刻が現在時刻以後」の講義情報を取得すると共に、前記講義情報の講義ＩＤをキーとして前記講義受講情報データベースを検索し、講義受講情報を取得し、前記講義受講情報の受講者ＩＤをキーとして前記受講者情報データベースを検索し、受講者情報を取得し、前記講義受講情報と受講者情報から受講者一覧と座席一覧を作成し、前記講師用表示モニタに前記受講者一覧及び座席一覧情報を表示する受講者一覧・座席一覧出力手段とを備えていることを特徴とする講義支援システム。
【発明の詳細な説明】
【技術分野】
【０００１】
本発明は、ネットワークを介して接続された生体認証機器、センサー付椅子によって、講義受講者の受講者情報、座席位置、着席状態を出力することができる講義支援システムに関するものである。
【背景技術】
【０００２】
近年、大学、予備校などでは、学生の情報をシステムに格納し、識別情報が記憶されたＩＤカードを学生に配布している。
このＩＤカードと学生情報を利用して、出席時に読取装置を通すことによって出席登録を行うシステムが提供されている。
特許文献１に記載の出欠管理及び登下校通知システムは、識別情報が記憶された生徒携帯用の情報記憶媒体と、教育機関の出入口付近に設置された情報記憶媒体読取装置と、情報記憶媒体読取装置で読み取った識別情報をサーバに送信する通信装置と、生徒情報と識別情報とが関連付けられて登録されている生徒情報データベースにより、出欠管理を行うものである。
【特許文献１】特開２００４−０８６３９４号公報
【発明の開示】
【発明が解決しようとする課題】
【０００３】
ＩＤカードを用いた出席管理システムの場合、該当受講者が講義を受けなくとも受講情報をシステムに登録することが可能である。
例えば、他人のＩＤカードを用いて出席することにより、他人の受講情報をシステムに登録することができる。
これは、生体認証を用いて受講情報をシステムに登録することで補うことができる。
しかし、受講情報をシステムに登録した後に退出した場合、該当受講者が講義を受講しなくてもシステムには受講済として登録される。
【０００４】
以上の現状に鑑み、本発明は、講義受講者の受講者情報、座席位置、着席状態を出力することができると共に、受講者本人が一定時間着席して講義を受講したことを証明することができる講義支援システムを提供することを目的とする。
【課題を解決するための手段】
【０００５】
上記の課題を解決すべく、本発明は以下の構成を提供する。
請求項１に係る発明は、講義支援サーバが、受講者用表示モニタと、生体認証装置と、座席に取り付けられた温度センサーと、座席に取り付けられた重量センサーと、講師用表示モニタとに夫々ネットワークを介して接続された講義支援システムであって、
前記講義支援サーバが、
受講者情報を格納する受講者情報データベースと、
講義情報を格納する講義情報データベースと
講義と受講者の関連情報を格納する講義受講情報データベースと、
教室と座席及び前記生体認証装置、温度センサー、重量センサー、表示モニタを識別する情報を格納する教室座席情報データベースと、
前記生体認証装置からの生体認証情報及び生体認証装置ＩＤを入力とし、前記生体認証装置ＩＤをキーとして前記教室座席情報データベースを検索し、教室座席情報を取得すると共に、前記生体認証情報をキーとして前記受講者情報データベースを検索し、該当の受講者情報がある場合は、受講者情報を取得する受講者判定手段と、
前記教室座席情報及び受講者情報を入力とし、前記教室座席情報の教室ＩＤをキーとして前記講義情報データベースを検索し、開始時刻が現在時刻以前かつ終了時刻が現在時刻以後の講義情報を取得し、取得した講義情報の講義ＩＤと前記受講者情報の受講者ＩＤをキーとして前記講義受講情報データベースを検索し、該当の講義受講情報があるかどうかを判定する講義判定手段と、
講義受講情報ありの場合に、前記教室座席情報、受講者情報及び講義情報を入力とし、前記教室座席情報の温度センサーＩＤを持つ体温検知情報を取得し、前記講義情報の終了時刻になるまで体温検知時間を測定すると共に、前記教室座席情報の重量センサーＩＤを持つ体重検知情報を取得し、前記講義情報の終了時刻になるまで体重検知時間を測定し、前記講義情報の講義ＩＤと前記受講者情報の受講者ＩＤをキーとして前記講義受講情報データベースを検索し、検索された講義受講情報に対して教室座席情報の座席ＩＤと前記検知時間を登録する着席情報登録手段と、
前記講師用表示モニタから前記講義支援サーバへ表示モニタＩＤが送信されると、表示モニタＩＤをキーとして前記教室座席情報データベースに格納される講師用表示モニタ情報を検索し、前記講師用表示モニタ情報の教室ＩＤをキーとして前記講義情報データベースを検索し、前記講義情報データベースから「開始時刻が現在時刻以前かつ終了時刻が現在時刻以後」の講義情報を取得すると共に、前記講義情報の講義ＩＤをキーとして前記講義受講情報データベースを検索し、講義受講情報を取得し、前記講義受講情報の受講者ＩＤをキーとして前記受講者情報データベースを検索し、受講者情報を取得し、前記講義受講情報と受講者情報から受講者一覧と座席一覧を作成し、前記講師用表示モニタに前記受講者一覧及び座席一覧情報を表示する受講者一覧・座席一覧出力手段とを備えていることを特徴とする講義支援システムを提供するものである。
【発明の効果】
【０００６】
本発明の請求項１記載の発明によれば、講義受講者の受講者情報、座席位置、着席状態を出力することができると共に、受講者本人が一定時間着席して講義を受講したことを証明することができる講義支援システムを提供することができる。
【発明を実施するための最良の形態】
【０００７】
以下、実施例を示した図面を参照しつつ本発明の実施の形態を説明する。
図１〜図１１は、本発明の講義支援システムの一実施形態を例示する図であり、これらの図において、同一の符号を付した部分は同一物を表わし、基本的な構成及び動作は同様であるものとする。
【０００８】
（講義支援システムの全体構成）
図１は、本実施形態の講義支援システムの全体構成を示し、本講義支援システムは、受講者用表示モニタ１０１と、生体認証装置１０２と、温度センサー１０３と、重量センサー１０４と、講師用表示モニタ１０５と、講義支援サーバ１１０とを含み、それらがネットワーク１０６を介して通信自在に接続されている。
【０００９】
受講者用表示モニタ１０１は、講義支援サーバ１１０より送信されたメッセージを受信し、モニタに表示する。また、固有のＩＤが登録されており、講義支援サーバ１１０は表示モニタＩＤにより送信先受講者用表示モニタ１０１を選択する。
生体認証装置１０２は、受講者の生体認証情報を読み取り、結果を講義支援サーバ１１０へ送信する。また、固有の生体認証装置ＩＤが登録されており、生体認証情報を送信する際、生体認証装置ＩＤを講義支援サーバ１１０へ送信する。
温度センサー１０３は、座席に取り付けられ、定期的に受講者の体温を検知し、体温が検知されたことを講義支援サーバ１１０へ送信する。また、固有の温度センサーＩＤが登録されており、体温検知情報を送信する際、温度センサーＩＤを講義支援サーバ１１０へ送信する。
【００１０】
重量センサー１０４は、座席に取り付けられ、定期的に受講者の体重を検知し、体重が検知されたことを講義支援サーバ１１０へ送信する。また、固有の重量センサーＩＤが登録されており、体重検知情報を送信する際、重量センサーＩＤを講義支援サーバ１１０へ送信する。
講師用表示モニタ１０５は、受講者一覧と座席一覧の情報要求を講義支援サーバ１１０へ送信する。また、講師用表示モニタ１０５は、講義支援サーバ１１０より送信された受講者一覧と座席一覧の情報を受信し、画面に表示する。更に、固有の表示モニタＩＤが登録されており、情報要求を送信する際、表示モニタＩＤを講義支援サーバ１１０へ送信する。
【００１１】
（講義支援サーバの構成）
図２は、講義支援サーバ１１０の内部構成を概略的に示す機能ブロック図である。
図２において、講義支援サーバ１１０は、受講者の固有情報を格納する受講者情報データベース２１０と、講義の固有情報を格納する講義情報データベース２２０と、講義と受講者の関連情報を格納する講義受講情報データベース２３０と、教室と座席及び生体認証装置、温度センサー、重量センサー、表示モニタを一意に識別する情報を格納する教室座席情報データベース２４０と、生体認証装置１０２から生体認証情報を受信すると、その認証を行う受講者判定部２５０と、認証に成功した場合、受講者が該当講義を受講可能かの判定を実施する講義判定部２６０と、受講可能の場合、前記温度センサーからの体温検知情報及び温度センサーＩＤと、前記重量センサーからの体重検知情報及び重量センサーＩＤの受信により、受講者の着席時間を計測して登録する着席情報登録部２７０と、それらの処理結果から受講者一覧と座席一覧を作成し、出力する受講者一覧・座席一覧出力部２８０とを含んでいる。
【００１２】
図３は、講義支援サーバ１１０の受講者情報データベース２１０に記憶されるデータ構造を例示する概略図である。
受講者情報３１０は、各受講者の固有情報として得られるものであり、受講者ＩＤ３１１、受講者名３１２及び生体認証情報３１３を含んでいる。
【００１３】
図４は、講義支援サーバ１１０の講義情報データベース２２０に記憶されるデータ構造を例示する概略図である。
講義情報４１０は、各講義の固有情報として得られるものであり、講義ＩＤ４１１、講義名４１２、教室ＩＤ４１３、開始時刻４１４、終了時刻４１５及び要着席時間４１６を含んでいる。
要着席時間４１６は、各講義に置いて出席とみなされる着席時間である。
【００１４】
図５は、講義支援サーバ１１０の講義受講情報データベース２３０に記憶されるデータ構造を例示する概略図である。
講義受講情報５１０は、各講義と受講者の関連情報として得られるものであり、講義ＩＤ５１１、受講者ＩＤ５１２、座席ＩＤ５１３及び検知時間５１４を含んでいる。
【００１５】
図６は、講義支援サーバ１１０の教室座席情報データベース２４０に記憶されるデータ構造を例示する概略図である。図６において、教室座席情報データベース２４０は、教室座席情報６１０及び講師用表示モニタ情報６２０を記憶している。
教室座席情報６１０は、各教室と座席及び生体認証装置、温度センサー、重量センサー、表示モニタを一意に識別する情報として得られるものであり、教室ＩＤ６１１、座席ＩＤ６１２、生体認証装置ＩＤ６１３、温度センサーＩＤ６１４、重量センサーＩＤ６１５及び表示モニタＩＤ６１６を含んでいる。
講師用表示モニタ情報６２０は、教室と講師用表示モニタを一意に識別する情報として得られるものであり、教室ＩＤ６２１及び表示モニタＩＤ６２２を記憶している。
【００１６】
図７は、本実施形態の講義支援システムの生体認証時のシーケンス図である。
図７において、生体認証装置１０２から生体認証情報を講義支援サーバ１１０に送信し（ステップ７１０）、受講者判定部２５０にて認証する（ステップ７２０）。認証結果がＮＧの場合、受講者用表示モニタ１０１に認証エラーの旨を表示する（ステップ７４０）。認証結果がＯＫの場合、講義判定部２６０にて受講者が該当講義を受講可能かの判定を実施する（ステップ７３０）。判定結果において、受講不可の場合、受講者用表示モニタ１０１に認証エラーの旨を表示する（ステップ７６０）。受講可能の場合、着席情報登録部２７０において、温度センサー１０３からの体温検知情報及び温度センサーＩＤ６１４と、重量センサー１０４からの体重検知情報及び重量センサーＩＤ６１５により、受講者の着席時間を計測し、その着席時間を登録する。
【００１７】
図８、図９及び図１０は、図７の生体認証時のシーケンス図における受講者判定部２５０、講義判定部２６０及び着席情報登録部２７０の処理内容を夫々示した図である。
図８に示す例では、生体認証装置１０２からの生体認証情報、生体認証装置ＩＤ７１０を入力とし、生体認証装置ＩＤをキーとして教室座席情報データベース２４０を検索し（ステップ８１０）、教室座席情報を取得する（ステップ８２０）。
次に、前記生体認証情報をキーとして受講者情報データベース２１０を検索し（ステップ８３０）、受講者情報なしの場合、受講者用表示モニタ１０１に「認証ＮＧ」と表示する（ステップ８７０）。また、受講者情報ありの場合は（ステップ８４０）、受講者情報データベース２１０から受講者情報を取得し（ステップ８５０）、教室座席情報、受講者情報を講義判定部２６０へ送信する（ステップ８６０）。
【００１８】
図９に示す例では、図８の出力である教室座席情報、受講者情報７５０を入力とし、教室座席情報の教室ＩＤをキーとして講義情報データベース２２０を検索し（ステップ９１０）、開始時刻が現在時刻以前かつ終了時刻が現在時刻以後の講義情報を取得する（ステップ９２０）。
取得した講義情報の講義ＩＤと受講者情報の受講者ＩＤをキーとして講義受講情報データベース２３０を検索し（ステップ９３０）、講義受講情報なしの場合、受講者用表示モニタ１０１に「受講者ＩＤなし」と表示する（ステップ９６０）。また、講義受講情報ありの場合は（ステップ９４０）、教室座席情報、受講者情報、講義情報を着席情報登録部２７０へ送信する（ステップ９５０）。
【００１９】
図１０に示す例では、図９の出力である教室座席情報、受講者情報、講義情報７１０を入力とし、教室座席情報の温度センサーＩＤを持つ温度センサー１０３から体温検知情報７７０を取得し、講義情報の終了時刻になるまで体温検知時間を測定する（ステップ１０１０）。
次に、教室座席情報の重量センサーＩＤを持つ重量センサー１０４から体重検知情報７８０を取得し、講義情報の終了時刻になるまで体重検知時間を測定する（ステップ１０２０）。
更に、前記講義情報の講義ＩＤと受講者情報の受講者ＩＤをキーとして講義受講情報データベース２３０を検索し、該当講義受講情報データに対して教室座席情報の座席ＩＤと前記検知時間、具体的には、体温検知時間と体重検知時間のうち、短い時間（受講者の受講時間に相当）を登録する（ステップ１０３０）。
【００２０】
図１１は、講師用表示モニタ１０５から要求を受付け、受講者一覧及び座席一覧の表示までを示した図である。
図１１に示す例では、講師用表示モニタ１０５から講義支援サーバ１１０へ表示モニタＩＤ１１７０を送信し、受講者一覧・座席一覧出力部２８０の処理が開始される。
受講者一覧・座席一覧出力部２８０は、表示モニタＩＤ１１７０をキーとして教室座席情報データベース２４０の講師用表示モニタ情報を検索し（ステップ１１１０）、講師用表示モニタ情報の教室ＩＤをキーとして講義情報データベース２２０を検索する（ステップ１１２０）。
【００２１】
次に、前記講義情報データベースから「開始時刻が現在時刻以前かつ終了時刻が現在時刻以後」の講義情報を取得し（ステップ１１３０）、講義情報の講義ＩＤをキーとして講義受講情報データベース２３０を検索して講義受講情報を取得し（ステップ１１４０）、講義受講情報の受講者ＩＤをキーとして受講者情報データベース２１０を検索して受講者情報を取得する（ステップ１１５０）。そして、前記講義受講情報と受講者情報から受講者一覧と座席一覧を作成し（ステップ１１６０）、講師用表示モニタ１０５に受講者一覧及び座席一覧情報を表示する（ステップ１１８０）。
【００２２】
図１２は、図７の受講者用表示モニタの画面イメージである。
図７のメッセージ表示７４０に示す例では、受講者名「佐藤  太郎」、教室ＩＤ「Ａ１０１」、座席ＩＤ「Ａ１」、講義名「ＡＡＡ概要」及びメッセージ「認証できません。再度、認証を実施して下さい。また未登録の場合は認証情報の登録を実施して下さい。」と表示する。また、図７のメッセージ表示７６０に示す例では、受講者名「佐藤  太郎」、教室ＩＤ「Ａ１０１」、座席ＩＤ「Ａ１」、講義名「ＡＡＡ概要」及びメッセージ「本講義は登録されていません。」と表示する。
【００２３】
図１３は、図１１の講師用表示モニタ１０５の画面イメージである。
図１１の受講者一覧、座席一覧情報表示１１８０に示す例では、受講者一覧１３１０に受講者名１３１１、着席状況１３１２を表示する。着席状況１３１２は、着席、退席をステータスとして表示する。また、座席一覧１３２０では、教室内の座席を表示し、着席時は１３２１に示すように色で区別できるように表示し、退席または未着席時は１３２２に示すように白抜きで表示する。
【図面の簡単な説明】
【００２４】
【図１】本発明による講義支援システムの全体構成を示す概略図である。
【図２】本発明による講義支援サーバの内部構成を概略的に示す機能ブロック図である。
【図３】本発明による講義支援サーバの受講者情報データベースに記憶されるデータ構造を例示する概略図である。
【図４】本発明による講義支援サーバの講義情報データベースに記憶されるデータ構造を例示する概略図である。
【図５】本発明による講義支援サーバの講義受講情報データベースに記憶されるデータ構造を例示する概略図である。
【図６】本発明による講義支援サーバの教室座席情報データベースに記憶されるデータ構造を例示する概略図である。
【図７】本発明による講義支援システムの生体認証時における動作を示すシーケンス図である。
【図８】本発明による講義支援システムの受講者判定部の動作を示すシーケンス図である。
【図９】本発明による講義支援システムの講義判定部の動作を示すシーケンス図である。
【図１０】本発明による講義支援システムの着席情報登録部の動作を示すシーケンス図である。
【図１１】本発明による講義支援システムの受講者一覧、座席一覧情報要求時における動作を示すシーケンス図である。
【図１２】本発明による講義支援システムの受講者用表示モニタの画面イメージを例示する概略図である。
【図１３】本発明による講義支援システムの講師用表示モニタの画面イメージを例示する概略図である。
【符号の説明】
【００２５】
１０１  受講者用表示モニタ
１０２  生体認証装置
１０３  温度センサー
１０４  重量センサー
１０５  講師用表示モニタ
１０６  ネットワーク
１１０  講義支援サーバ
２１０  受講者情報データベース
２２０  講義情報データベース
２３０  講義受講情報データベース
２４０  教室座席情報データベース
３１０  受講者情報
３１１  受講者ＩＤ
３１３  生体認証情報
４１０  講義情報
４１１  講義ＩＤ
４１３  教室ＩＤ
４１４  開始時刻
４１５  終了時刻
５１０  講義受講情報
５１１  講義ＩＤ
５１２  受講者ＩＤ
５１３  座席ＩＤ
５１４  検知時間
６１０  教室座席情報
６１１  教室ＩＤ
６１２  座席ＩＤ
６１３  生体認証装置ＩＤ
６１４  温度センサーＩＤ
６１５  重量センサーＩＤ
６１６  表示モニタＩＤ
６２０  講師用表示モニタ情報
６２１  教室ＩＤ
６２２  表示モニタＩＤ
【図１】
2008234384.tif 000003
【図２】
2008234384.tif 000004
【図３】
2008234384.tif 000005
【図４】
2008234384.tif 000006
【図５】
2008234384.tif 000007
【図６】
2008234384.tif 000008
【図７】
2008234384.tif 000009
【図８】
2008234384.tif 000010
【図９】
2008234384.tif 000011
【図１０】
2008234384.tif 000012
【図１１】
2008234384.tif 000013
【図１２】
2008234384.tif 000014
【図１３】
2008234384.tif 000015